【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
空気を浄化するため空気フィルタユニット（１０；１００）であって、
前記空気フィルタユニットは、
軸Ａに沿って伸張するフィルタ本体（２０；２００）と、
前記フィルタ本体（２０；２００）の対向端上に構成されている第１のフィルタフレーム（３０；３００）及び第２のフィルタフレーム（４０；４００）とを備え、
前記第１（３０；３００）及び第２のフィルタフレーム（４０；４００）のそれぞれは、互いに回転可能に固定されている４つの細長いフレーム部材（５０；５００）を備え、
前記フィルタ本体の上面と前記フィルタ本体の下面との間にフィルタフレーム又はフレーム部材は構成されず、
前記フィルタ本体（２０；２００）が第１の状態及び第２の状態で構成されるように、前記４つの細長いフレーム部材（５０；５００）は、回転可能に互いに固定され、
前記第１の状態では、前記フィルタ本体は、前記空気フィルタユニットの体積を減らすように折り畳まれ、前記第２の状態では、前記フィルタ本体は組み立てられる、空気フィルタユニット。
【請求項２】
前記第２の状態の、前記フィルタ本体（２０；２００）、前記第１のフィルタフレーム（３０；３００）、及び、前記第２のフィルタフレーム（４０；４００）は、軸Ａを横切る長方形の断面を有する、請求項１に記載の空気フィルタユニット。
【請求項３】
前記フィルタ本体は、４つの側壁（６０；６００）を備える、請求項１に記載の空気フィルタユニット。
【請求項４】
前記側壁（６０；６００）は、長方形であり、軸Ａに並行する側に沿って互いに回転可能に固定されている、請求項３に記載の空気フィルタユニット。
【請求項５】
前記フレーム部材が前記フィルタ本体（２０）の対応する壁（６０）に適合するように、各細長いフレーム部材（５０）は、凹部（７０）を備えている、請求項３又は４に記載の空気フィルタユニット。
【請求項６】
前記４つの細長いフレーム部材（５００）は、実質的に長方形の形状を有しており、隣接フレーム部材（５００）の内角における細い弾性及び／又は柔軟要素（３１０）によって互いに回転可能に接続されている、請求項１に記載の空気フィルタユニット。
【請求項７】
前記第１及び第２のフィルタフレームのそれぞれは、実質的に同一の第１及び第２のフィルタフレームセクション（８０、９０）により形成され、
前記第１のフィルタフレームセクション（８０）は、前記４つの細長いフレーム部材のうちの２つ（５０’’）を備え、前記第２のフィルタフレームセクション（９０）は、前記４つの細長いフレーム部材のうちの残りの２つ（５０’’）を備える、請求項１に記載の空気フィルタユニット。
【請求項８】
各フィルタフレームセクションの前記２つの細長いフレーム部材は、９０−１８０度の範囲内で回転可能に接続されるように、折り畳み可能要素（１００）を介して接続されている、請求項７に記載の空気フィルタユニット。
【請求項９】
第１及び第２のフィルタフレームセクション（８０、９０）は、回転可能結合メカニズム（１１０）を介して接続され、
前記回転可能結合メカニズムは、０−９０度の範囲内で回転可能である、請求項１に記載の空気フィルタユニット。
【請求項１０】
各結合メカニズムは、前記第１又は第２のフィルタフレームセクション（８０）のうちの１つの上に構成される雄部（１２０）と、他方のフィルタフレームセクション（９０）の上に構成される雌部（１３０）を備え、前記雄部及び前記雌部は前記第１及び第２のフィルタフレームセクションを互いに回転可能に固定するように構成されている、請求項９に記載の空気フィルタユニット。
【請求項１１】
各結合メカニズムは、前記第１又は第２のフィルタフレームセクション（８０）のうちの１つの上に構成された中央ハブ（１０４）を備え、前記中央ハブは、前記結合メカニズムのための回転の軸を規定する、請求項９又は１０に記載の空気フィルタユニット。
【請求項１２】
前記結合メカニズムは、前記中央ハブの周りに伸長する弧の形をした凹部（１５０）と、他方のフィルタフレームセクション上に構成されている対応する弧の形をした突出部をさらに備え、
前記第１及び第２のフィルタフレームセクションが組み立てられるとき、前記弧の形をした突出部は、前記凹部にスライド可能に構成される、請求項１１に記載の空気フィルタユニット。
【請求項１３】
前記空気フィルタユニットは、使い捨てフィルタユニットである、請求項１から１２のうちのいずれか１項に記載の空気フィルタユニット。
【手続補正２】
【補正対象書類名】明細書
【補正対象項目名】００４３
【補正方法】変更
【補正の内容】
【００４３】
第１及び第２のフィルタフレームは、空気フィルタユニットの所望の構造的強度を提供するように、フィルタ本体の対抗端をサポートする。各フィルタフレームは、空気フィルタユニット中の異なるコンポーネントの数を低減させるように実質的に同一の設計を有する４つのフレーム部材を備えている。フレーム部材は、持続可能な紙又はプラスチック素材でできており、側壁の長さに対応する長さと側壁の幅に対応する幅を有する実質的に長方形である。フレーム部材は、フィルタフレームの各内角において軸Ａに並行して伸張する軸の周りで回転可能であるように隣接フレーム部材の内角に互いに回転可能に接続されている。この接続は、紙又はプラスチック素材でできている細い弾性及び又は柔軟性要素３１０により達成することができる。空気フィルタユニット１００は、空気フィルタユニットの対角線上の対抗角を押すことによって第１と第２の状態の間で動く。
以下に、出願当初の特許請求の範囲に記載の事項を、そのまま、付記しておく。
［１］
空気を浄化するため空気フィルタユニット（１０；１００）であって、
前記空気フィルタユニットは、
軸Ａに沿って伸張するフィルタ本体（２０；２００）と、
前記フィルタ本体（２０；２００）の対向端上に構成されている第１のフィルタフレーム（３０；３００）及び第２のフィルタフレーム（４０；４００）とを備え、
前記第１（３０；３００）及び第２のフィルタフレーム（４０；４００）のそれぞれは、互いに回転可能に固定されている４つの細長いフレーム部材（５０；５００）を備え、
前記フィルタ本体（２０；２００）が第１の状態及び第２の状態で構成されるように、前記４つの細長いフレーム部材（５０；５００）は、回転可能に互いに固定され、
前記第１の状態では、前記フィルタ本体は、前記空気フィルタユニットの体積を減らすように折り畳まれ、前記第２の状態では、前記フィルタ本体は組み立てられる、空気フィルタユニット。
［２］
前記第２の状態の、前記フィルタ本体（２０；２００）、前記第１のフィルタフレーム（３０；３００）、及び、前記第２のフィルタフレーム（４０；４００）は、軸Ａを横切る長方形の断面を有する、１に記載の空気フィルタユニット。
［３］
前記フィルタ本体は、４つの側壁（６０；６００）を備える、１に記載の空気フィルタユニット。
［４］
前記側壁（６０；６００）は、長方形であり、軸Ａに並行する側に沿って互いに回転可能に固定されている、３に記載の空気フィルタユニット。
［５］
前記フレーム部材が前記フィルタ本体（２０）の対応する壁（６０）に適合するように、各細長いフレーム部材（５０）は、凹部（７０）を備えている、３又は４に記載の空気フィルタユニット。
［６］
前記細長いフレーム部材（５００）は、実質的に長方形の形状を有しており、隣接フレーム部材（５００）の内角における細い弾性及び／又は柔軟要素（３１０）によって互いに回転可能に接続されている、１に記載の空気フィルタユニット。
［７］
前記第１及び第２のフィルタフレームのそれぞれは、実質的に同一の第１及び第２のフィルタフレームセクション（８０、９０）により形成され、
前記第１のフィルタフレームセクション（８０）は、前記４つの細長いフレーム部材のうちの２つ（５０’’）を備え、前記第２のフィルタフレームセクション（９０）は、前記４つの細長いフレーム部材のうちの残りの２つ（５０’’）を備える、１に記載の空気フィルタユニット。
［８］
各フィルタフレームセクションの前記２つの細長いフレーム部材は、９０−１８０度の範囲内で回転可能に接続されるように、折り畳み可能要素（１００）を介して接続されている、７に記載の空気フィルタユニット。
［９］
第１及び第２のフィルタフレームセクション（８０、９０）は、回転可能結合メカニズム（１１０）を介して接続され、
前記回転可能結合メカニズムは、０−９０度の範囲内で回転可能である、１に記載の空気フィルタユニット。
［１０］
各結合メカニズムは、前記第１又は第２のフィルタフレームセクション（８０）のうちの１つの上に構成される雄部（１２０）と、他方のフィルタフレームセクション（９０）の上に構成される雌部（１３０）を備え、前記雄部及び前記雌部は前記第１及び第２のフィルタフレームセクションを互いに回転可能に固定するように構成されている、９に記載の空気フィルタユニット。
［１１］
各結合メカニズムは、前記第１又は第２のフィルタフレームセクション（８０）のうちの１つの上に構成された中央ハブ（１０４）を備え、前記中央ハブは、前記結合メカニズムのための回転の軸を規定する、９又は１０に記載の空気フィルタユニット。
［１２］
前記結合メカニズムは、前記中央ハブの周りに伸長する弧の形をした凹部（１５０）と、他方のフィルタフレームセクション上に構成されている対応する弧の形をした突出部をさらに備え、
前記第１及び第２のフィルタフレームセクションが組み立てられるとき、前記弧の形をした突出部は、前記凹部にスライド可能に構成される、１１に記載の空気フィルタユニット。
［１３］
前記空気フィルタユニットは、使い捨てフィルタユニットである、１から１２のうちのいずれか１項に記載の空気フィルタユニット。